(57)【要約】【課題】  長手方向に対して垂直な切断を容易に行なうことができるパイプ切断用治具を提供することにある。【解決手段】    内周面が半円弧状を呈して相対向する一対の枠体１ａ、１ｂを備えるとともに、この各枠体１ａ、１ｂの一端部同士が軸着されて内周面でパイプＰを挟着する円空間を形成する挟着部１と、枠体１ａ、１ｂの各他端部に設けた相手方の他端部と係合するための延出部３ａ、３ｂと、各枠体１ａ、１ｂの内周面の側縁から外周方向へ略直角に突設される一対の突設片２ａ、２ｂからなる鍔状の切断ガイド部２とを有する。【選択図】  図１
2005177949.tif 000002
【特許請求の範囲】
【請求項１】
内周面が半円弧状を呈して相対向する一対の枠体を備えるとともに、当該各枠体の一端部同士が軸着されて前記内周面でパイプを挟着する円空間を形成する挟着部と、前記枠体の各他端部に設けた相手方の他端部と係合するための延出部と、前記各枠体の内周面の側縁から外周方向へ略直角に突設される一対の突設片からなる鍔状の切断ガイド部とを有することを特徴とするパイプ切断用治具。
【発明の詳細な説明】
【技術分野】
【０００１】
本発明は、雨樋の縦樋となる樹脂パイプを簡単に真っ直ぐ切断することができるパイプ切断用治具に関するものである。
【背景技術】
【０００２】
縦樋とエルボの接続は、近年建築物との調和のため、意匠性を重視して内周面に接続部を設ける場合が多く、このような場合には、縦樋に使用するパイプが斜めに切断されてしまうと、その切断面の不具合が外観に現れて意匠性を損ねてしまうので、パイプの切断においては、従来以上にパイプの長手方向に対して垂直な切断面が要求されている。
【０００３】
パイプの長手方向に対して垂直な切断面を得る従来のパイプ切断用治具としては、図４に示すような、パイプ１１の短手方向の外周面の片側にほぼ沿う屈曲部１２を設けて全体をＵ字状となし、屈曲部１２に当てがわれるパイプ１１を挟持可能な支持部１４を設けて、屈曲部１２の屈曲方向に沿って、スリット状の切断刃挿入部１５を形成してなるパイプ切断用治具が知られている。このものにあっては、パイプ１１の短手方向の外周面の片側に沿う屈曲部１２に当てがわれて支持部１４により挟持されたパイプ１１を切断する際、切断刃は、屈曲部１２の屈曲方向に沿って形成されたスリット状の切断刃挿入部１５によって誘導されるので、切断線が曲がることなくパイプを切断することができる（特許文献１）。
【０００４】
しかし、上記のような従来のパイプ切断用治具では、切断の対象とするパイプ１１は、凸状の支持部１４に係止されて挟持されるために、長辺方向の両端には凹溝１６が長手方向に沿って形成されていることが必要となり、縦樋として広く用いられているパイプにおいてはこのような凹溝１６が形成されていないため、切断することができないもしくは切断するために別途係止用の凹部を設置する必要がある。また、屈曲部１２が当てがわれているパイプ１１の部分は短手方向の外周面の片側のみであるため、屈曲部が当てがわれていない残りの片側を切断するときは、支持部１４でのみ固定された不安定な状態で切断することになるので、最後の切断部分で、長手方向に対して垂直な切断が困難になる場合が生じ得るという問題を有する。
【特許文献１】実開平７−７９０３号公報
【発明の開示】
【発明が解決しようとする課題】
【０００５】
本発明は、このような点に鑑みてなされたものであり、その目的とするところは、長手方向に対して垂直な切断を容易に行なうことができるパイプ切断用治具を提供することである。
【課題を解決するための手段】
【０００６】
上記した課題を解決するために、本発明の請求項１に係るパイプ切断用治具は、内周面が半円弧状を呈して相対向する一対の枠体を備えるとともに、当該各枠体の一端部同士が軸着されて前記内周面でパイプを挟着する円空間を形成する挟着部と、前記枠体の各他端部に設けた相手方の他端部と係合するための延出部と、前記各枠体の内周面の側縁から外周方向へ略直角に突設される一対の突設片からなる鍔状の切断ガイド部とを有することを特徴とする。
【発明の効果】
【０００７】
本発明の請求項１に係るパイプ切断用治具によると、内周面の側縁から外周方向へ略直角に突設される一対の突設片からなる鍔状の切断ガイド部を有するので、この切断ガイド部に沿って切断を行なうことにより、パイプの長手方向に対して垂直な切断面を容易に得ることができる。そのため、意匠性を重視した縦樋用のパイプの切断に好適に用いることができる。
【発明を実施するための最良の形態】
【０００８】
本発明の実施形態を図１乃至図３に基づいて説明する。図１は、本実施形態におけるパイプ切断用治具の構成を示す概略図であり、図１（ａ）は正面図、図１（ｂ）は側面図である。また、図２は、枠体１ａ、１ｂの軸着状態の概略を示す図１におけるＡ−Ａ矢視断面図である。また、図３はパイプ切断用治具の使用形態の概要を示す側面図である。図１乃至図３において、１は挟着部、１ａ、１ｂは枠体、２は切断ガイド部、２ａ、２ｂは突設片、３ａ、３ｂは延出部、４は挿通孔、４ａ、４ｂは貫通孔、５はシャフト、Ｐはパイプである。
【０００９】
図１に示すように、パイプ切断用治具は、挟着部１、切断ガイド部２及び延出部３ａ、３ｂから構成される。
【００１０】
挟着部１は、互いに対向する一対の半円弧状の枠体１ａ、１ｂの一端部同士が軸着されてその内周面でパイプＰを挟着する円空間を形成するとともに、他端部同士は開閉可能に形成されている。
【００１１】
図２に示すように、枠体１ａの一端部は、厚み方向の中央部が凹型に形成され、枠体１ｂの一端部は、厚み方向の中央部が、枠体１ａの一方の一端部に形成された凹型に嵌合するような凸型に形成されている。また、それぞれの一端部の厚さ方向には、同一径の貫通孔４ａ、４ｂが形成されている。この枠体１ｂの凸型の一端部を枠体１ａの凹型の一端部に嵌合することにより各貫通孔４ａ、４ｂが連通し、挿通孔４が形成される。この挿通孔４に連結軸となるシャフト５が挿通されて枠体１ａ、１ｂの各一端部同士が軸着される。
【００１２】
また、図１に示すように、枠体１ａ、１ｂの他端部からは、枠体１ａ、１ｂの他端部同士を係合するための延出部３ａ、３ｂがそれぞれ延出されている。延出部３ａは正面視凹型部を有するものであり、この凹型部が形成する空間に延出部３ｂの凸型部が嵌め合わされて延出部３ａ、３ｂ同士が係合される。
【００１３】
各枠体１ａ、１ｂのそれぞれの内周面の側縁からは、正面視半環状の鍔状の突設片２ａ、２ｂが外周方向に略直角に突設されており、延出部３ａ、３ｂ同士が係合された状態で正面視略環状の切断ガイド部２が形成される。この正面視略環状の面が、後述するパイプＰ切断時の切断ガイド面となる。
【００１４】
このパイプ切断用治具は、高強度の樹脂組成物からなり、それぞれの枠体１ａ（１ｂ）、突設片２ａ（２ｂ）、延出部３ａ（３ｂ）は一体に成形されている。
【００１５】
枠体１ａ、１ｂを開状態にして内周面側にパイプＰを導入した後、この枠体１ａ、１ｂを閉状態にして挟着し、この状態で延出部３ａ、３ｂを係合させて、パイプＰに固定する。これにより、切断ガイド部２もパイプＰに挟着するとともに、パイプＰの長手方向に対して切断ガイド面が垂直に取り付けられた状態となる。この状態で鋸刃のような切断具を切断ガイド面に沿わせてパイプＰの切断を行なう。このようにすることで、パイプＰの長手方向に対して垂直な切断面を容易に得ることができる。そのため、意匠性を重視した縦樋用のパイプの切断に好適に用いることができる。
【００１６】
また、切断ガイド部２の切断ガイド面が正面視環状であるため、どの部分から切断を開始しても、切断刃が切断ガイド部２にひっかかることがなく、よりスムーズな切断を行なうことができる。
【００１７】
本実施形態においては、延出部３ａ、３ｂは枠体１ａ、１ｂと一体に形成されるものであったが、これに限定されるものではなく、枠体１ａ、１ｂに別途、延出部を取り付けたものも好適に用いることができる。
【００１８】
また、本実施形態においては、突設片２ａ、２ｂは枠体１ａ、１ｂと一体に形成されるものであったが、これに限定されるものではなく、高強度樹脂組成物や金属部材、セラミックス等の切断時に傷がつきにくいものや高強度樹脂組成物からなる別部材を突設するものであってもよい。また、切断刃との摩擦を低減するために、切断ガイド部２の切断刃との接触面側に潤滑化処理をしたものも好適に用いられる。
【００１９】
パイプ切断治具の別の使用形態として、図３に示すように、パイプ切断用治具の２つを一対として、それぞれの切断ガイド部２の切断ガイド面が一定の間隔を有して相対向するようにパイプＰに取り付けるようにしてもよい。この場合の一定の間隔とは、鋸刃のような切断具の刃厚よりも微小量大きい間隔を意味する。このような構成にすることにより、パイプＰを切断する際に、切断具は一対の切断ガイド部２の両方切断ガイド面に沿って切断することができるうえに、切断が終了するまでパイプＰの切断面の両端がパイプ切断用治具に固定されるので、より容易かつ確実に垂直な切断面を得ることができる。
【図面の簡単な説明】
【００２０】
【図１】本発明に係る本実施形態のパイプ切断用治具の構成を示す概略図であり、（ａ）は正面図、（ｂ）は側面図である。
【図２】枠体の軸着状態の概略を示す断面図である。
【図３】パイプ切断治具の別の使用形態を示す側面図である。
【図４】従来例を示す斜視図である。
【符号の説明】
【００２１】
１    挟着部
１ａ、１ｂ  枠体
２    切断ガイド部
２ａ、２ｂ  突設片
３ａ、３ｂ  延出部
Ｐ  パイプ
【図１】
2005177949.tif 000003
【図２】
2005177949.tif 000004
【図３】
2005177949.tif 000005
【図４】
2005177949.tif 000006